(57)【要約】【課題】  ガイドの調整が必要なく、簡易に設置できるスイング矯正用のゴルフ練習具を提供する。【解決手段】  本発明のゴルフ練習具は、少なくとも、伸縮自在のシャフト、連結部、及びレール部を備えている。シャフトは一端にグリップ部を備えており、反対側の他端にはシャフトに対して、回転自在に設けられている連結部を備えている。レール部は連結部をスライド自在に支持している。プレイヤは、グリップ部を把持し、レール部に沿ってシャフトをスイングするだけで、シャフトの軌道が左右にぶれることがないため、パッティングにおけるスイング矯正することが可能なる。【選択図】図１
2015016132.tif 000002
【特許請求の範囲】
【請求項１】
一端にプレイヤに把持されるグリップ部を備えたシャフトと、
前記シャフトの他端に前記シャフトに対して回転自在に設けられた連結部と、
前記連結部をスライド可能に支持するレール部と、
を少なくとも備えており、
前記シャフトは、長さ方向に伸縮自在であることを特徴とする、
ゴルフ練習具。
【請求項２】
前記シャフトは、径の異なる複数のシャフト部材で構成されており、
径の小さいシャフト部材が、径の大きなシャフト部材の内側にスライド可能に挿入されていることを特徴とする、
請求項１に記載のゴルフ練習具。
【請求項３】
前記レール部が複数並設されていることを特徴とする、
請求項１または２に記載のゴルフ練習具。
【発明の詳細な説明】
【技術分野】
【０００１】
本発明は、ゴルフのパッティングの練習を簡便に行うことを可能にする装置に関する。
【背景技術】
【０００２】
ゴルフにおいて、パッティングは最終スコアを左右する重要なショットである。パッティングにおけるスイングは、テイクバックからゴルフボールにインパクトする瞬間、そしてフォロースルーにいたるまで、理想的な軌道をクラブが通過しなければ、狙い通りのパッティングができない。そのため、プレイヤは、日々素振りなどの練習を通して、パッティングの鍛錬に励んでいる。
【０００３】
しかし、ゴルフ初心者だけでなくベテランプレイヤにとっても、パッティングのスイングは慣れない動きであるため、素振りだけでは正しいフォームを習得することは難しい。その理由は、真っ直ぐなスイングを意識して素振りをしたとしても、スイングの軌道がスイング方向に対して左右にぶれてしまうということが多いからである。
【０００４】
そこで、素振りで練習するだけでなく、スイングの軌道を矯正する練習装置（例えば、特許文献１参照）を用いて練習を行っている。このような装置によると、予め練習装置によって設定されたスイング軌道をガイドする部材に沿ってゴルフクラブを振ることでスイングを矯正しているため、スイングの方向に対して左右にぶれることがなく、理想的な軌道をゴルフクラブが通過するとされている。
【先行技術文献】
【特許文献】
【０００５】
【特許文献１】特開平１１−１３７７６１号公報
【発明の概要】
【発明が解決しようとする課題】
【０００６】
しかしながら、従来の練習装置では、装置が大型化してしまい、設置場所が制約されることがあった。更に、プレイヤがゴルフクラブを練習装置に取り付けて、最適なスイング軌道の円周の曲率を調節しなければならず、煩雑であった。また、スイング軌道の円周の曲率はある程度、調節は可能であるが、フォーム、体格、ゴルフクラブ等の組合せはプレイヤによって無数にあるため、全てのプレイヤが最適な円周の曲率を調整することは困難であり、プレイヤによっては、無理のあるフォームを強いられるという問題があった。
【０００７】
本発明の目的は、上記の課題を解決するためのものであって、スイングの左右のぶれを矯正しつつ、あらゆるプレイヤのフォーム、体型、ゴルフクラブ等に適合するゴルフ練習具を提供することである。
【課題を解決するための手段】
【０００８】
本発明に係るゴルフ練習具は、スイングの軌道を矯正するための装置である。本発明のゴルフ練習具、伸縮自在のシャフト、連結部、及びレール部を少なくとも備えている。シャフトは、一端にプレイヤに把持されるグリップ部を備えている。グリップ部とは反対側の他端には連結部が取り付けられており、連結部は、シャフトに対して回転自在に取り付けられている。レール部は、連結部をスライド可能に支持している。
【０００９】
この練習具を用いて練習を行う場合には、プレイヤはグリップ部を把持し、通常のパッティングを行うのと同様にシャフトをスイングする。シャフトはレール部に沿ってスライドし、左右にぶれることがないため、プレイヤは適切なスイングを体で覚えることが可能となる。通常のパッティングでは、プレイヤがクラブを把持している部分を中心に、シャフトの先端部が円弧状の動きをするが、本発明では、シャフトが伸縮自在の構成をしているため、先端部の円弧状の動きを直線上のみで再現することが可能となる。つまり、シャフトは直線上で移動するため、レール部の端部に向かうほど、プレイヤが把持している円弧状の動きの中心部からシャフト端部の距離は遠ざかるが、シャフトが伸縮自在のため、直線上においても、スイングの段階に応じてシャフトの長さが自動的に調整される。また、従来の練習具よりも省スペースかつ構成部材が少ないため、狭いスペースでも練習を行うことが可能であり、繰り返し練習を行ったとしても、故障するおそれが少ない。
【００１０】
また、シャフトは、径の異なる複数のシャフト部材から構成されていてもよい。この場合、径の小さいシャフト部材は、径の大きなシャフト部材の内側にスライド可能に挿入されている。このため、径の大きなシャフト部材の内側に挿入されている径の小さいシャフト部材を長さ方向にスライドさせることによって、シャフトの長さを無段階的に調整することが可能となる。
【発明の効果】
【００１１】
本発明によれば、簡易な構造の装置でスイングの軌道が移動方向に対して、左右にぶれることがなく、理想的なパッティングを習得することが可能となる。
【図面の簡単な説明】
【００１２】
【図１】本発明の実施形態に係るゴルフ練習具の概念を示す図である。
【図２】シャフトの概観を示す図である。
【図３】スイング時のシャフトの動きを示す図である。
【発明を実施するための形態】
【００１３】
図１は、本発明の実施形態の一例に係るゴルフ練習具１０の概観を示す図である。
【００１４】
図１に示すように、ゴルフ練習具１０は、少なくとも、シャフト１２、連結部１６、及びレール部１８を備えている。シャフト１２は、一端にプレイヤによって把持されるグリップ部１４を備えている。グリップ部１４と反対側のシャフト１２の他端には、シャフト１２に対して回転自在な連結部１６を備えている。レール部１８は、スイング軌道をガイドする役割を果たしており、連結部１６を介してシャフト１２がスライドすることによって、プレイヤはスイングの軌道を修正することができる。
【００１５】
本実施形態では、連結部１６は、グリップ部１４と反対側の他端に設けられた貫通孔と連結部１６に設けられた貫通孔にリングを通すことによって、シャフト１２と連結されている。この構成によって、シャフト１２はユニバーサルジョイントのように自由に角度調整ができるので、プレイヤ自身のパッティングクラブのライ角に合わせて、自由に調整可能となる。
【００１６】
レール部１８は、パッティングのスイングをガイドするために配置されており、連結部１６がレール部１８上をスライドすることで、スイングの軌道を矯正する。レール部１８上には、上部に開放している溝が形成されており、その溝の内部に連結部１６がスライド可能な程度に嵌め込まれている。本発明の練習具を用いて、練習を行う場合は、レール部１８をねじ等の固定具で設置面に固定することでゴルフ練習具１０全体がより安定する。
【００１７】
また、レール部１８は複数設けることも可能である。この場合、図１が示すように、レール部１８とレール部１８１を並設することが好ましい。レール部１８が１つの場合と比較して、ゴルフ練習１０全体が更に安定するため、設置面に固定するような煩雑な作業を省略することが可能となり、設置場所を制約されることも少なくなる。この構成を採用する場合、プレイヤは、レール部１８を静止させたままスイングするように意識することにより、余計な力が抜けてリラックスした状態で左右にぶれのないスイングをすることが可能になるため、練習効果を更に高めることができる。更に、レール部１８１上にゴルフボール等を配置することにより、本番を意識した練習を行うことができる一方、新たにレール部１８１を設けることに関しては、装置の設置場所が特別に増加するわけではないので、デメリットもない。なお、簡易にゴルフ練習具１０を作成したい場合には、カーテンレールでレール部１８を構成し、ランナーで連結部１６を構成することも可能である。
【００１８】
図２（Ａ）及び図２（Ｂ）が示すように、シャフト１２は、径の異なる複数のシャフト部材で構成されることが好ましい。本実施例では、第一シャフト部材２０と第二シャフト部材２２で構成されており、グリップ部１４側の第一シャフト部材２０が、連結部１６側の第二シャフト部材２２よりも径が大きい。図２（Ａ）で示すように、第二シャフト部材２２の一部は、第一シャフト部材２０の内側にスライド可能に挿入されており、挿入されている長さＬの分だけ、第二シャフト部材２２を長さ方向にスライドさせることで、シャフト１２全体の長さを自由に変化させることが可能となる。第二シャフト部材２２の一端には脱落防止用ストッパ２４が備えられている。このような構成を採用することで、第二シャフト部材２２がスライドしすぎても、図２（Ｂ）のように、ストッパ２４が第一シャフト部材２０の端部で引っかかるため、第二シャフト部材２２は第一シャフト部材２０から抜けることがない。
【００１９】
図３を用いて、ゴルフ練習具１０の使用方法を説明する。ここでは、シャフト１２の位置によって、アドレス段階、テイクバック段階、インパクト段階、及びフォロースルー段階に分けて説明する。アドレス段階では、プレイヤは、シャフト１２をレール部１８上の中心部に配置し、グリップ部１４を把持し、パッティングのアドレス時と同じフォームで構える。前述の通り、連結部１６はシャフト１２に対して、回転自在なため、あらゆるクラブのライ角またはプレイヤのフォームに対応できるため、プレイヤが普段使用しているクラブと同じ感覚で練習できる。
【００２０】
テイクバック段階では、アドレス段階で構えたシャフト１２をレール部１８の端部方向へ振りかぶる。シャフト１２の動きに合わせて、連結部１６がレール部１８上を中心部から端部へスライドするにつれて、第二シャフト部材２２が連結部１６に引っ張られるので、第二シャフト部材２２が第一シャフト部材２０の内部から長さ方向の外側にスライドする。第二シャフト部材２２がスライドすることで、シャフト１２の全長がスイングの段階に応じて長さ方向に伸びる。インパクト段階では、テイクバック段階で、振りかぶったシャフト１２をレール部１８の中心部に向かい振り下ろす。連結部１６が徐々にレール部１８の中心部に向かうため、テイクバック段階で外側にスライドしていた第二シャフト部材２２が連結部１６に押されることで、第一シャフト部材２０の内側にスライドし、シャフト１２は、無段階的に滑らかに短くなる。フォロースルー段階では、テイクバック段階と同様に中心部に位置するシャフト１２がテイクバック段階で移動したレール部１８の端部と反対側の端部にスライドするため、テイクバック段階と同じようにシャフト１２が伸びる。
【００２１】
つまり、プレイヤは、上記のようなシャフト１２の一連の伸縮によってパッティングのスイングをレール部１８上のみで再現することが可能になり、別途ガイド装置等を設けたり、その調整を行う必要もなくなる。本発明のゴルフ練習具１０を用いて繰り返し練習をすることにより、プレイヤは、スイングの軌道が左右にぶれることなく真っ直にスイングを行う感覚を習得する。よって、その後に素振り等の練習を行うことで練習効果が格段に高まる。
【００２２】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００２３】
１０−ゴルフ練習具
１２−シャフト
１４−グリップ部
１６−連結部
１８−レール部
２０−第一シャフト部材
２２−第二シャフト部材
２４−ストッパ
【図１】
2015016132.tif 000003
【図２】
2015016132.tif 000004
【図３】
2015016132.tif 000005